(57)【要約】      （修正有）【課題】ゴムボードの竿掛けモールド及び、ＦＲＰボート、アルミボートの両サイドのフランジに、撒餌などを入れるトレイを取り付けるためのホルダーを提供する。【解決手段】トレイの上側のフランジをフックで抱き、トレイ４の下側をプレートで受けるようにしたトレイホルダー１に、板状のバネ材で構成したロックプレートを取り付ける。また、トレイ４の上側のフランジの下端を保持して、トレイの前側が浮き上がってトレイが外れるのを防ぐようにして、ゴムボート６の竿掛けモールド６ｍ又はＦＲＰ、アルミボートのサイドのフランジの取り付け穴などに、ボルトとナット２で取り付ける。又トレイホルダー１に水平部を設け、穴を開けて、ドリンクホルダーとして兼用しても良い。【選択図】図１
0003167394.tif 000002
【実用新案登録請求の範囲】
【請求項１】
トレイの上側のフランジをフック抱え、トレイの下側を平板で受けるようにして保持し、板状のバネ材で構成したロックプレートで、トレイのフランジ端の下側を受けて、ゴムボートの竿掛けモールドの取り付け穴に、ボルトとナットで取り付けるようにしてトレイを保持することを特徴とした、ゴムボート用トレイホルダー。
【請求項２】
トレイの中に入れる物とトレイ、トレイホルダーの自重でトレイが前傾することを見越してあらかじめ後傾になるようにしたことを特徴とする、請求項1のトレイホルダー。
【請求項３】
トレイの上側のフランジをフック抱え、トレイの下側を平板で受けるようにして保持し、板状のバネ材で構成したロックプレートで、トレイのフランジ端の下側を受けて、ＦＲＰボートおよびアルミボートのサイドのフランジの上側の穴又はボルトへボルト又はナットで取り付けるようにしてトレイを保持することを特徴としたＦＲＰボートおよびアルミボート用のトレイホルダー。
【請求項４】
ロックプレート先端のロックプレート操作部を押してロック解除したときに、それ以上のオーバーランを防止するため、ロックプレートの先端付近をホルダーへ当てて、それ以上行かないようにしたことを特徴とする、請求項4のトレイホルダー。
【請求項５】
トレイホルダーに水平部を設け、そこに穴を開けて、ペットボトルおよび缶が入るようにしたことを特徴とする、請求項4のトレイホルダー。
【考案の詳細な説明】
【技術分野】
【０００１】
本考案は、ゴムボートの竿掛けモールド及び、ＦＲＰボート、アルミボートの両サイドのフランジに、撒餌などを入れるトレイを取り付けるためのホルダーに関するものである。
【背景技術】
【０００２】
小型のゴムボートなどでサビキ釣りをする場合、餌のオキアミなどのほかに  撒餌として冷凍アミなどをよく使用するが、撒餌をバケツ、洗面器などに入れて
ボート内の足元に置き、長時間釣りをしていると、腰を何回も曲げて取り出すため、腰が痛くなることがしばしばあった。又アミカゴに撒餌を入れる時に、ボート内に落とすことがしばしばあり、魚が一度にたくさん釣れたときなどの取り込みの際に、撒餌の中に魚を落として、魚が汚れる事もあった。又釣りの合間に食事をしたりビールを飲んだりする時、弁当、酒のつまみ、ビールなどを置く所がなく、腰掛板の上などに置いておくと、ボートが波で大きく揺れたときなどに、下に落ちて食べられなくなることがしばしばあった。
【０００３】
大きな釣り船では棒状の鉄で枠を作り、船の横の手すりに引っ掛けて止め、その枠に撒餌のトレイはめ込んで使用するようにしていた。
【０００４】
しかし、小型のゴムボート、ＦＲＰボート、アルミボートなどは、このような手すりがなく又ボート内も狭いので、撒餌などを入れるトレイの置き方にはいろいろ苦労をしていた。
【先行技術文献】
【特許文献】
【０００５】
【特許文献１】実開昭５５−０８６４８２
【考案の概要】
【考案が解決しようとする課題】
【０００６】
解決しようとする課題は、撒餌がボート内にこぼれて汚れないようにすること、足元に置いた撒餌を、取り出すときに発生する腰痛を防ぐこと、腰掛板に置いている缶ビール、つまみ、弁当などがボート内に落ちないようにするため、それらを入れるトレイを、どこにどのようにして、ボートに取り付け、固定するかである。
【課題を解決するための手段】
【０００７】
本考案は、ゴムボートの竿掛けモールド又はＦＲＰ、アルミボートのサイドのフランジの取り付け穴などに、トレイの上側のフランジをフックで抱き、トレイの下側をプレートで受けるようにしたトレイホルダーを、トレイがボートの外側になるようにして、ボルトとナットで取り付けるようにしてある。又トレイの前側が浮き上がって、トレイが外れるのを防ぐために、板バネで構成しているロックプレートを、トレイホルダーの下側に取り付けて、トレイ上側のフランジの下端を保持するようにしている。又トレイホルダー水平部を設け、そこに穴を開けて、ドリンクホルダーとして兼用するようにもできる。
【考案の効果】
【０００８】
本考案のトレイホルダーを、ゴムボートの竿掛けモールド又はＦＲＰボート及びアルミボートのフランジの取り付け穴などに取り付けることにより、撒餌用トレイ、小物入れトレイは、ボートの外側に取り付けられ、ボート内が広く使用でき、撒餌がこぼれても  ボート内には落ちず、腰を曲げずにトレイ内のものを取れるので  腰も痛くならず、ボートがひどく揺れてもトレイをひっくり返すこともなくなり、缶、ボトルも固定でき倒すこともない。又トレイホルダーは、ナット又はボルトでボートに簡単に取り付けでき、トレイは斜め上からトレイホルダーに押し付けながらはめ込むだけで、すぐに取り付けでき、トレイホルダーのロックプレート操作部を押してトレイの前側を持ち上げるだけで、トレイを簡単に取り外すことができる。
【図面の簡単な説明】
【０００９】
【図１】トレイホルダーＦと撒餌用トレイを、ゴムボートに取り付ける時の取り付け図である。
【図２】トレイホルダーＦと撒餌用トレイを、ゴムボートに取り付けた時のＡ−Ａ断面図である。
【図３】トレイホルダーＦと撒餌用トレイを、ゴムボートに取り付けた時の背面図である。
【図４】トレイホルダーＦと撒餌用トレイを、ゴムボートに取り付けた時の平面図である。
【図５】トレイホルダーＦの分解斜視図である。
【図６】トレイホルダーＦと撒餌用トレイを、ゴムボートに取り付けた時の斜視図である。
【図７】トレイホルダーＦを、後傾させてと撒餌用トレイと共に、ゴムボートに取り付けた時のＡ−Ａ断面図である。
【図８】トレイホルダーＧと小物入れトレイを、ゴムボートに取り付ける時の取り付け図である。
【図９】トレイホルダーＧと小物入れトレイを、ゴムボートに取り付けた時のＢ−Ｂ−断面図である。
【図１０】トレイホルダーＧと小物入れトレイを、ゴムボートに取り付けた時の背面図である。
【図１１】トレイホルダーＧと小物入れトレイを、ゴムボートに取り付けた時の平面図である。
【図１２】トレイホルダーＧの分解斜視図である。
【図１３】トレイホルダーＧと小物入れトレイを、ゴムボートに取り付けた時の斜視図である。
【図１４】トレイホルダーＨと撒餌用トレイを、ＦＲＰボートに取り付ける時の取り付け図である。
【図１５】トレイホルダーＨと撒餌用トレイを、ＦＲＰボートに取り付けた時の、Ｃ−Ｃ断面図である。
【図１６】トレイホルダーＪと撒餌用トレイを、ＦＲＰボートに取り付ける時の、取り付け図である。
【図１７】トレイホルダーＪと撒餌用トレイを、ＦＲＰボートに取り付けた時のＤ−Ｄ断面図である。
【図１８】トレイホルダーＬと小物入れトレイを、ＦＲＰボートに取り付ける時の取り付け図である。
【図１９】トレイホルダーＬと小物入れトレイを、ＦＲＰボートに取り付けた時のＥ−Ｅ断面図である。
【考案を実施するための形態】
【００１０】
ボート内を撒餌で汚さないで、トレイ内のものも楽に取り出せ、又はドリンクホルダーとしても使用できるという目的を、最小の部品点数のトレイホルダーで、実現できた。
【実施例１】
【００１１】
本考案のトレイホルダーＦは、図1の組付け図で示すように、ゴムボート6、の竿掛けモールド6ｍに、取り付けナット2ワッシャー3で取り付けられ、撒餌用トレイ4は、トレイホルダーＦに斜め上から押し込むようにしてはめ込み取り付けている。トレイホルダーＦの構成は、図5の分解斜視図で示すように、ホルダー取り付け部1ｄ、ホルダーフック部１ａ、ホルダー下受け部1ｂからなり、これにホルダー取り付けボルト1ｃが、ホルダー取り付け部1ｄの穴にはめ込まれ、カシメして固定されている。ロックプレート1ｇは板状のバネ材で構成され、ロックプレート操作部1ｈ、ロックプレート保持部１ｉ、ロックプレート取り付け部1ｊからなり、リベット1ｆでロックプレート取り付け穴1ｋにはめ込まれカシメで固定されている。このような構成で成り立つトレイホルダーＦが、図2のようにゴムボートの竿掛けモールドに取り付けられ、撒餌用トレイ4を斜め上から押し込んではめ込むが、このときロックプレート保持部１ｉを押し込みロック解除しながらはめ込むので、スムーズにはめ込むことができる。はめ込んだ後は、撒餌トレイ4は、上側のフランジ部をホルダーフック部１ａで抱かれ、下側をホルダー受け部１ｂで保持され、撒餌用トレイの上側のフランジの下端を、ロックプレート保持部１ｉで保持しているので、撒餌用トレイ4は、どのように動いても外れることはない。
又、撒餌用トレイを外す時は、ロックプレート操作部1ｈを、図2のロック解除時のように押してトレイの前側を持ち上げれば、簡単にはずすことができる。又ロックプレート1ｇはロック解除時にオーバーランするのを防止するよう、ロックプレート保持部１ｉが、トレイホルダーＦに当たって止まるようにしている。
【００１２】
図7はトレイホルダーＦが、自重とトレイとトレイの中の物の重量でゴムボートが撓み、トレイとトレイホルダーが前下がりぎみになるのを見越して、前上がり気味になるよう設定するようにしたものを示している。
【実施例２】
【００１３】
図8はトレイホルダーＧと小物入れトレイ5を、ゴムボートに組み付ける図であり、トレイホルダーとロックプレートの形状とロックプレートの取り付けはトレイホルダーＦとは異なるが、ゴムボートへの取り付けは、トレイホルダーＦと全く同じである。
図12はトレイホルダーＧの分解斜視図であり、ロックプレート10ｇ、取り付けボルト1ｃは、トレイホルダーカップ部10ｒを一体で持つトレイホルダーＧにカシメで取り付けられている。
図13はゴムボートにトレイホルダーＧと小物用トレイを取り付けた斜視図である。缶ビール9は下側をゴムボート6で、上の側面をトレイホルダーカップ部10ｒで支えられているので、倒れないようになっている。
【実施例３】
【００１４】
図14はトレイホルダーＨと撒餌用トレイを、ＦＲＰボート又はアルミボートに取り付ける時の組み付け図で、ボートのサイドのフランジ７ｎにあらかじめ取り付けてあるボルト7ｐにトレイホルダーＨの取り付け部11ｓの穴を通して、ナット2、トワッシャー3でＦＲＰボート又はアルミボートに取り付けて固定するようにしている。
【実施例４】
【００１５】
図16はトレイホルダーＪと撒餌用トレイを、ＦＲＰボート又はアルミボートに取り付ける時の組み付け図で、ボートのサイドのフランジ７ｎにあらかじめ開けている取り付け穴7ｑにトレイホルダーＪの取り付け部を合せ、ワッシャー3、と取り付けボルト14で、ＦＲＰボート及びアルミボートへ取り付けて固定している。
【実施例５】
【００１６】
図18はトレイホルダーＫと小物用トレイを、ＦＲＰボート又はアルミボートに取り付ける時の組み付け図で、ボートのサイドのフランジ７ｎにあらかじめ開けている取り付け穴7ｑに、トレイホルダーＫの取り付け部を合せ、ワッシャー3、とボルト14、でＦＲＰボートとアルミボートへ固定している。
【００１７】
本考案は、このように構成されており、トレイがボートの外側に取り付けられているので、ボート内が広く使用でき、大きな波などでボートが大きく揺れても、トレイ又は缶ビールなどもひっくり返ることもなく、トレイ内のものをとりだすのも位置的に高いので楽にでき、ボート内に撒餌などをこぼすこともなくなりボート内をきれいに保つことができる。
【００１８】
また本考案は、ボルト又はナットでボートに簡単に取り付けでき、トレイもトレイホルダーに斜め上から押し込むようにしてワンタッチで取り付けでき、取り外しもロックプレートの操作部を押すだけで簡単に取り外すことができるので、誰でも使用できる。
【産業上の利用可能性】
【００１９】
トレイ内のものが楽に取り出しでき、小型のボート内も広く使用できるので、ゴムボートでは竿立てモールド、ＦＲＰボート、アルミボートでは、取り付け用のボルト、ナットをボートの適した場所に取り付けるだけで、いくらでもトレイホルダーを取り付け出来るので、いろいろなトレイが自由に使用できる。
【符号の説明】
【００２０】
１    トレイホルダーＦ
１ａ  ホルダーフック部
１ｂ  ホルダー下受け部
１ｃ  ホルダー取り付けボルト
１ｄ  ホルダー取り付け部
１ｆ  リベット
１ｇ  ロックプレート
１ｈ  ロックプレート操作部
1ｉ  ロックプレート保持部
1ｊ  ロックプレート取り付け部
1ｋ  ロックプレート取り付け穴
2    取り付けナット
3    ワッシャー
4    撒餌用トレイ
5    小物入れトレイ
6    ゴムボート
6ｍ  竿掛けモールド
7    ＦＲＰボート
７ｎ  ＦＲＰボートサイドフランジ
7ｐ  ＦＲＰ取り付けボルト
7ｑ  ＦＲＰ取り付け穴
9    缶ビール
10  トレイホルダーＧ
10ｇロックプレート
10ｒトレイホルダーカップ部
11  トレイホルダーＨ
11ｓトレイホルダー取り付け部
12  トレイホルダーＪ
13  トレイホルダーＬ
14  取り付けボルト
【図１】
0003167394.tif 000003
【図２】
0003167394.tif 000004
【図３】
0003167394.tif 000005
【図４】
0003167394.tif 000006
【図５】
0003167394.tif 000007
【図６】
0003167394.tif 000008
【図７】
0003167394.tif 000009
【図８】
0003167394.tif 000010
【図９】
0003167394.tif 000011
【図１０】
0003167394.tif 000012
【図１１】
0003167394.tif 000013
【図１２】
0003167394.tif 000014
【図１３】
0003167394.tif 000015
【図１４】
0003167394.tif 000016
【図１５】
0003167394.tif 000017
【図１６】
0003167394.tif 000018
【図１７】
0003167394.tif 000019
【図１８】
0003167394.tif 000020
【図１９】
0003167394.tif 000021